(57)【要約】【課題】プロテクタの識別標識を消したり、プロテクタを交換することを防止する。【解決手段】ストロボ発光部のプロテクタ３３に設けられた識別標識３８に触れることのできないように、レーザー光３９を吸収して熱を発生することで溶融するプラスチックから形成されたストロボ発光部のリフレクタケース１０ａと、プロテクタ３３の識別標識３８の設けられた面とを向かい合わせて取り付け、プロテクタ３３側からレーザー光３９を照射して、リフレクタケース１０ａを溶融させ、プロテクタ３３とリフレクタケース１０ａとを溶接する。【選択図】　　　　　　　　図４
2004117899.tif 000002
【特許請求の範囲】
【請求項１】
透明なプラスチックで形成された透明部品と、この透明部品の内面に設けられた識別標識と、透明部材が取り付けられ、光を吸収するプラスチックで形成された光吸収部品とが構成部品に含まれるレンズ付きフイルムユニットにおいて、
前記透明部材を介して光吸収部品にレーザー光を照射し、透明部品と光吸収部品とをレーザー溶着することを特徴とするレンズ付きフイルムユニット。
【請求項２】
前記透明部品は、ストロボ装置のプロテクタであり、前記光吸収部品は、プロテクタが取り付けられるリフレクタケースであることを特徴とする請求項１記載のレンズ付きフイルムユニット。
【発明の詳細な説明】
【０００１】
【発明の属する技術分野】
本発明はレンズ付きフイルムユニットに関し、更に詳しくは、識別標識を利用して不正な再利用を防止するレンズ付きフイルムユニットに関するものである。
【０００２】
【従来の技術】
誰でも簡単に撮影を楽しめるように、シンプルな撮影機能を備え、写真フイルムカートリッジを予め装填したレンズ付きフイルムユニットが知られている。多種あるレンズ付きフイルムユニットの中には、ストロボ装置を組み込んで暗い場所での撮影を行えるようにしたものもある。
【０００３】
使用済みのレンズ付きフイルムユニットは、製造メーカーによって回収され、部品ごと、または機能ユニットごとに分解される。各部品および機能ユニットは、その使用状態に応じて修理や機能検査が施されて再使用される。再使用されなかった部品は、原材料としてリサイクルされる。
【０００４】
現在発売されているレンズ付きフイルムユニットの中には、使用済みのレンズ付きフイルムユニットに、市販の写真フイルムカートリッジを不正に再装填して販売しているものがある。このような不正な詰め替え製品は、適正な検査や修理が行われずに販売されることがほとんどで、信頼性に乏しく、誤操作や撮影不良などが起きるという問題がある。このような詰め替え製品に発生する問題は、レンズ付きフイルムユニットそのものに対する信頼性を損なうため、従来から製造メーカーでは不正な再使用を防ぐための対策が種々講じられている。
【０００５】
上記対策の一つとして、ストロボ発光部のプロテクタの前面に、製造元や販売元の会社名等の識別標識を記したレンズ付きフイルムユニットが発明されている（例えば、特許文献１参照）。また、現在発売されているレンズ付きフイルムユニット（商品名：写ルンですエクセレント）では、プロテクタの内面に識別標識が記されている。
【０００６】
【特許文献１】
特開平１１−０６５０３０号
【０００７】
【発明が解決しようとする課題】
ところが上記のようなレンズ付きフイルムユニットでは、ストロボ発光部のプロテクタに設けられた識別標識を削って消したり、また、識別標識のないプロテクタに交換して、不正に再利用されていた。
【０００８】
本発明のレンズ付きフイルムユニットは、識別標識を消したり、識別標識が設けられた部品をプロテクタを交換できないようにしたレンズ付きフイルムユニットを提供することを目的とするものである。
【０００９】
【課題を解決するための手段】
本発明は上記目的を達成するために、ストロボ発光部に設けられたリフレクタケースを、光を吸収して熱を発生することで溶融するプラスチックから形成する。このリフレクタケースとプロテクタの識別標識が設けられた面とを向かい合うように取り付け、プロテクタ側からレーザー光を照射してリフレクタケースを溶融させ、プロテクタとリフレクタケースとを溶接する。
【００１０】
【発明の実施の形態】
図１は、本発明のレンズ付きフイルムユニットを示す外観斜視図である。レンズ付きフイルムユニット２は、予め写真フイルムカートリッジ３（図２参照）が装填され、各種撮影機構が組み込まれたユニット本体４と、このユニット本体４を部分的に覆う外装ラベル５とから構成されている。
【００１１】
ユニット本体４の上面には、カウンタ窓６，シャッタボタン７が、前面にはファインダ８，撮影レンズ９，ストロボ発光部１０，スライド式の充電スイッチ１１が、背面側には１コマの撮影毎に回動操作される巻上げノブ１２が、それぞれ露呈されている。
【００１２】
外装ラベル５は、裏面に接着剤が塗布された帯状の紙片であり、ユニット本体４の中央部分に巻かれるように貼付される。外装ラベル５には、撮影レンズ９やファインダ８，カウンタ窓６等を外部に露呈させる開口が形成されており、レンズ付きフイルムユニット２の使用方法や使用上の注意事項等が印刷されている。
【００１３】
図２は、ユニット本体４の分解斜視図である。ユニット本体４は、カートリッジ本体１６、ロール状に巻いた写真フイルム１７をそれぞれ収納するカートリッジ室１８、フイルム室１９が形成されたプラスチック製の本体基部２０と、本体基部２０の前面側にそれぞれ組み付けられる露光ユニット２１及びストロボ装置２２と、本体基部２０の前面、背面にそれぞれ被せられるプラスチック製の前カバー２３、後カバー２４とから構成されている。カートリッジ室１８とフイルム室１９との間には、撮影レンズ９を通った被写体光を透過させ、１コマの露光範囲を画定するアパーチャーが形成されている。露光ユニット２１は、シャッタ機構、フイルムカウンタ機構、フイルム巻き止め機構など、写真撮影に必要な部材を組み合わせたもので、本体基部２０に対して爪結合により着脱自在に組み付けられている。
【００１４】
カートリッジ室１８の上部に巻上げノブ１２が組み付けられ、これを回動操作することによってフイルム巻き上げを行うことができ、フイルムの給送に連動してカウンタ窓６の下でフイルムカウンタ円板が１歩進する。１コマ分のフイルム給送が行われた時点でフイルム巻き止め機構が作動し、巻上げノブ１２がロックされる。
【００１５】
また、このフイルム巻き上げ期間中にシャッタ機構によりシャッタチャージが行われる。シャッタボタン７を押すことによってシャッタ羽根が開閉して一回の露光が行われ、巻上げノブ１２に対するロックが解除される。そして、上記フイルム巻き上げ操作とシャッタボタンの押圧操作とを繰り返すことによって、露光済のフイルムがカートリッジ本体１６に巻き込まれてゆく。
【００１６】
図３は、ストロボ装置２２を示す外観斜視図である。ストロボ装置２２は、回路基板２６，ストロボ発光部１０，乾電池２７とからなる。回路基板２６の下部には、正極接片２８ａと負極接片２８ｂとからなる電池ホルダ２８が設けられ、ここにストロボ装置２２の電源を成す乾電池２７が取り付けられる。回路基板２６の背面上部には、充電用のコンデンサ２９が設けられ、規定レベルまで充電されると、回路基板２６に組み込まれたＬＥＤが点灯する。
【００１７】
なお、回路基板２６の端部には、撮影機構のシャッタ羽根（図示せず）の動作に連動して開閉するシンクロスイッチ３０が設けられている。ＬＥＤ点灯時にシャッタレリーズを行うと、シャッタ羽根が開放した瞬間にシンクロスイッチ３０がオンし、ストロボ発光部１０から被写体に向かってストロボ光が照射される。
【００１８】
本発明に適用したストロボ発光部１０は、回路基板２６に爪止めされているリフレクタケース１０ａ内部に、ストロボ光源となるストロボ放電管３１とこれを取り巻くリフレクタ３２が設けられ、その前面には、透明なプラスチック、例えばレーザー光を透過させるレーザー光透過プラスチックで形成されたプロテクタ３３が取り付けられている。
【００１９】
ストロボ放電管３１は、周知のように円筒状の放電管本体３１ａにキセノンガスを封入したものであり、コンデンサ２９により所定の電圧が両端子３１ｂに印加された状態で、高電圧、トリガ電圧が放電管本体３１ａの外周面に印加されることにより、内部のキセノンガスがイオン化する。これにより、両端子３１ｂ間の絶縁が破れてコンデンサ２９に充電された電荷が放電管本体３１ａ内で放電し、ストロボ光を放出する。
【００２０】
リフレクタ３２は、例えばアルミ板を折り曲げ成形して、周面反射部３２ａと、側面反射部３２ｂとを一体に形成したものである。周面反射部３２ａは、ストロボ光の照射方向に開くように湾曲された形状とされ、放電管本体３１ａの背面及び上下を覆い、その内面でストロボ放電管３１から放たれる光をプロテクタ３３に向けて反射させる。この周面反射部３２ａの湾曲形状は、ストロボ光がプロテクタ３３を介して所定の配光パターンでレンズ付きフイルムユニット２の前方に照射されるように、その断面の形状は楕円弧、円弧等を組み合わせたものになっている。
【００２１】
側面反射部３２ｂは、湾曲した周面反射部３２ａの放電管本体３１ａの軸心に沿った方向の両端部を塞ぐようにして設けられており、図面反射部３２ａによるストロボ光の反射を補助する。各側面反射部３２ｂには、放電管本体３１ａが挿通される孔３２ｃ，３２ｄがそれぞれ形成されている。
【００２２】
リフレクタケース１０ａは不透明なプラスチック、例えばレーザー光を吸収して熱を発生することで溶融するレーザー光吸収プラスチック形成されている。側面反射部３２ｂの各孔３２ｃ，３２ｄに対峙する部分には、ストロボ放電管３１の両端部３１ｂを挟持して、ストロボ放電管３１を保持する保持部材（図示せず）がそれぞれ形成されている。リフレクタケース１０ａの一方の側部には、ストロボ発光部１０を回路基板２６に取り付ける係合爪及びピン（図示せず）が形成されている。
【００２３】
ストロボ放電管３１は、リフレクタ３２がリフレクタケース１０ａ内に嵌め込まれた状態で、リフレクタ３２の孔３２ｃ，３２ｄに通されて、周面反射部３２ａの内面に放電管本体３１ａの外周面が接触するように組み付けられる。これにより、トリガ電圧がリフレクタ３２を介して放電管本体３１ａに印加される。また、このストロボ放電管３１の組み付けにより、リフレクタ３２がリフレクタケース１０ａに固定される。
【００２４】
図４は、ストロボ発光部１０の要部断面図である。プロテクタ３３は、前面が平滑面とされ、内面にストロボ光の配光を規制する凹凸パターンが形成されている。プロテクタ３３の内面下部には、製造元や販売元等の会社名等を表す識別標識３８が一体に形成されている。この識別標識３８は、プロテクタ３３の前面から視認することができる。
【００２５】
プロテクタ３３は、識別標識３８が設けられた面がリフレクタケース１０ａに向かい合うように取り付けられる。その後、プロテクタ３３側からレーザー光３９を照射すると、レーザー光３９はプロテクタ３３を透過して、リフレクタケース１０ａを照射する。リフレクタケース１０ａのレーザー光３９を吸収した部分が熱により溶け出し、プロテクタ３３とリフレクタケース１０ａとがレーザー溶着によって強固に溶接される。プロテクタ３３とリフレクタケース１０ａとが強固に溶接されているため、リフレクタケース１０ａからプロテクタ３３を取り外すことができず、プロテクタ３３に施された識別標識３８には、触れることができない。
【００２６】
次に、上記実施形態の作用について説明する。本発明のレンズ付きフイルムユニット２で撮影を行うには、巻き上げノブ１２をフイルム巻き上げ方向に回転して写真フイルム１７を巻き上げる。この操作により写真フイルム１７が移送され、撮影準備が整う。シャッタボタン７を押圧すると、シャッタ機構が作動し、撮影レンズ５を通った被写体光がシャッタ開口を通り、アパーチャーにセットされた写真フイルム１７に入射して露光が行われる。露光完了後には、フイルム巻き止め機構のロックが解除され、次のフイルム巻き上げ及びシャッタチャージが可能となる。
【００２７】
最後の撮影コマへの撮影が完了すると、フイルムカウンタ機構がフイルム巻き止め機構の作動を阻止する。これにより、その後のフイルム巻き上げ操作によって、フイルム巻き止めが行われることなく、全ての写真フイルム１７をカートリッジ本体１６に収納することができる。
【００２８】
使用済みのレンズ付きフイルムユニット２は、現像所に提出される。現像所では、カートリッジ室１８の蓋を開けて、撮影済みの写真フイルム１７を巻き取ったカートリッジ本体１６を取り出して、現像処理を行う。空のレンズ付きフイルムユニット２は、製造メーカーに回収され、分解される。分解された部品は必要に応じて、修理や部品交換、機能検査を行い、リサイクルされる。
【００２９】
なお、第三者が使用済みのレンズ付きフイルムユニット２に新たな写真フイルムカートリッジ３を再装填して販売しようとしても、プロテクタ３３に識別標識３８が施されているため、詰め替え品のレンズ付きフイルムユニット２を販売することができない。
【００３０】
また、プロテクタ３３に施された識別標識３８を無くすために、プロテクタ３３を交換しようとしても、プロテクタ３３とリフレクタケース１０ａとがレーザー溶着によって強固に溶接されているので、リフレクタケース１０ａからプロテクタ３３を取り外すことができず、プロテクタ３３を交換することができない。また、プロテクタ３３の背面に識別標識３８が設けられているので識別標識３８を削って消すこともできない。これによって第三者によるレンズ付きフイルムユニット２の不正な再使用を防止することができる。
【００３１】
上記実施例では、プロテクタ３３に識別標識３８を施してプロテクタ３３とリフレクタケース１０ａとを溶着したが、たとえば、撮影レンズ９の外周近傍に識別標識３８を施し、本体基部２０に設けられたレンズホルダーとレーザー溶着を行ってもよい。また、ファインダレンズに識別標識３８を施し、本体基部２０とレーザー溶着を行ってもよい。
【００３２】
また、本実施例では、識別標識３８として文字を用いたが、記号や絵を使用してもよい。更に識別標識としては一体形成以外にプリンタによる印字や、ラベルの貼付、刻印等によって形成してもよい。
【００３３】
【発明の効果】
以上のように、本発明のレンズ付きフイルムユニットによれば、透明部材であるプロテクタの内面に識別標識を設け、かつプロテクタを光吸収部材であるリフレクタケースにレーザー溶着したので、識別標識を消したり、または書き換えることはできない。更に、プロテクタ自体を識別標識の無いものに交換することもできない。よって、不正なレンズ付きフイルムユニットの再利用を防止することができ、さらには、第三者によるレンズ付きフイルムユニットの販売を防止することができる。
【図面の簡単な説明】
【図１】本発明のレンズ付きフイルムユニットの外観斜視図である。
【図２】ユニット本体の分解斜視図である。
【図３】ストロボ装置の外観斜視図である。
【図４】ストロボ発光部の要部断面図である。
【符号の説明】
２　レンズ付きフイルムユニット
４　ユニット本体
９　撮影レンズ
１０　ストロボ発光部
１０ａ　リフレクタケース
３２　リフレクタ
３３　プロテクタ
３８　識別標識
【図１】
2004117899.tif 000003
【図２】
2004117899.tif 000004
【図３】
2004117899.tif 000005
【図４】
2004117899.tif 000006